(57)【要約】  音楽コンテンツに関連する画像アイテムを表示する方法が提供される。本方法は、音楽コンテンツの1つ以上の特徴を識別し、第1の遠隔ネットワークから識別した1つ以上の特徴に基づき対応する画像アイテムを捜し、第1の遠隔ネットワークから対応する画像アイテムを読み出し、及び音楽コンテンツに対応する画像アイテムを表示する。
2007514253.tif 000002
【特許請求の範囲】
【請求項１】
音楽コンテンツに対応する画像アイテムを表示する方法であって：
前記音楽コンテンツの１つ以上の特徴を識別する段階；
第１の遠隔ネットワークから前記対応する画像アイテムを前記識別された１つ以上の特徴に基づき捜す段階；
前記対応する画像アイテムを前記第１の遠隔ネットワークから読み出す段階；及び
前記音楽コンテンツに対応する前記画像アイテムを表示する段階：
を有する方法。
【請求項２】
前記識別する段階は：
前記音楽コンテンツから前記１つ以上の特徴を有する部分を捜す段階；及び
前記１つ以上の特徴を前記部分から読み出す段階
を有する、請求項１記載の方法。
【請求項３】
前記部分はＩＤ３タグを有する、請求項２記載の方法。
【請求項４】
前記識別する段階は：
第２の遠隔ネットワークから前記音楽コンテンツに対応する前記１つ以上の特徴を捜す段階；及び
前記１つ以上の特徴を前記第２の遠隔ネットワークから読み出す段階
を有する、請求項１記載の方法。
【請求項５】
前記第２の遠隔ネットワークは、複数の音楽コンテンツ及び前記複数の音楽コンテンツのそれぞれについての１つ以上の対応する特徴を有するデータベースを有する、請求項４記載の方法。
【請求項６】
前記識別する段階は、前記１つ以上の特徴を有するオーディオ指紋を得るために前記音楽コンテンツを分析する段階を有する、請求項１記載の方法。
【請求項７】
前記表示する段階は、読み出しに先立ち及び読み出しに続いての何れかで、前記画像アイテムをサムネイルアイコンに縮小する段階を有する、請求項１記載の方法。
【請求項８】
前記縮小する段階は、読み出しに先立ち及び読み出しに続いての何れかで、前記画像アイテムの解像度を減らす段階を更に有する、請求項６記載の方法。
【請求項９】
読み出しに続いて前記画像アイテムを格納する段階を更に有する、請求項１記載の方法。
【請求項１０】
前記識別する段階は、イベントの発生時に自動的に開始される、請求項１記載の方法。
【請求項１１】
前記イベントは、前記音楽コンテンツの格納、前記音楽コンテンツの再生、前記音楽コンテンツの送信の受信、及び前記音楽コンテンツのダウンロードの１つである、請求項９記載の方法。
【請求項１２】
前記識別する段階は、ユーザーからの手動の指示により開始される、請求項１記載の方法。
【請求項１３】
前記表示する段階は、イベントの発生時に自動的に開始される、請求項１記載の方法。
【請求項１４】
前記イベントは、前記音楽コンテンツの格納、前記音楽コンテンツの再生、前記音楽コンテンツの送信の受信、及び前記音楽コンテンツのダウンロードの１つである、請求項１２記載の方法。
【請求項１５】
前記表示する段階は、ユーザーからの手動の指示により開始される、請求項１記載の方法。
【請求項１６】
前記画像アイテムは、少なくとも前記音楽コンテンツに対応するＣＤジャケットである、請求項１記載の方法。
【請求項１７】
前記音楽コンテンツは、前記ＣＤジャケットに対応する複数の楽曲からの楽曲であり、及び前記表示する段階は、前記ＣＤジャケットを、前記楽曲を示すよう変更する段階を更に有する、請求項１記載の方法。
【請求項１８】
前記変更する段階は、数値を前記ＣＤジャケットと共に表示する段階を有し、前記数値は、前記楽曲の楽曲番号を示す、請求項１７記載の方法。
【請求項１９】
コンピューター可読媒体に組み込まれ、音楽コンテンツに対応する画像アイテムを表示するコンピュータープログラムであって：
前記音楽コンテンツの１つ以上の特徴を識別するコンピューター可読プログラムコード手段；
遠隔ネットワークから前記対応する画像アイテムを前記識別された１つ以上の特徴に基づき捜すコンピューター可読プログラムコード手段；
前記対応する画像アイテムを前記遠隔ネットワークから読み出すコンピューター可読プログラムコード手段；及び
前記音楽コンテンツに対応する前記画像アイテムを表示するコンピューター可読プログラムコード手段
を有するコンピュータープログラム。
【請求項２０】
音楽コンテンツに対応する画像アイテムを表示する装置であって：
遠隔ネットワークに動作可能なように接続されるモデム；
前記音楽コンテンツの１つ以上の特徴を識別し；及び前記遠隔ネットワークから前記対応する画像アイテムを前記識別された１つ以上の特徴に基づき捜し；及び前記対応する画像アイテムを前記遠隔ネットワークから読み出すプロセッサー；及び
前記音楽コンテンツに対応する前記画像アイテムを表示するディスプレイ
を有する、装置。
【発明の詳細な説明】
【技術分野】
【０００１】
本発明は、一般に音楽コンテンツを格納及び／又は再生する対話型システムに関し、より詳細には、コンテンツ識別子を用い、ＣＤジャケットのような画像アイテムをダウンロードし、音楽コンテンツを表現する対話型システムに関する。
【背景技術】
【０００２】
対話型システムは、楽曲、スピーチ、オーディオブック及び類似のもの等の音楽コンテンツを格納及び再生する分野において知られている。対話型システムは、パーソナルコンピューター、ラップトップコンピューター、又はＣＤプレイヤー、ＭＰ３プレイヤー、パーソナル・デジタル・アシスタント、又は無線受信機等の音楽コンテンツ再生装置を含む。音楽コンテンツは、ディスプレイ画面にアイコンで表示できる。一般に、アイコンは特別に作成するか、又は対話型システム内の複数の既定のアイコンから選択されなければならない。一般に、現在の対話型システムでは、グラフィック表示が特に音楽コンテンツに関連する場合、格納された、ダウンロードされる、又は再生される音楽コンテンツをユーザーにグラフィカルに表示する方法がない。
【非特許文献１】ジェイ・エー・ハイツマ（J.A.Haitsma）、トン・カルカー（Ton  Kalker）、ア・ハイリー・ロバスト・オーディオ・リンガープリンティング・システム（A  highly  robust  audio  fingerprinting  system）、アイ・アール・シー・エー・エム（IRCAM）、２００２年
【非特許文献２】トン・カルカー（Ton  Kalker）、アプリケーションズ・アンド・チャレンジズ・フォー・オーディオ・フィンガープリンティング（Applications  and  Challenges  for  Audio  Fingerprinting）、ウォーターマーキング・バーサス・フィンガープリンティング・ワークショップ（Watermarking  versus  Fingerprinting  workshop）、ニューヨークにおける第１１１回エー・イー・エス  コンベンション（111th  AES  Convention,  NY）、２００１年１２月３日
【発明の開示】
【発明が解決しようとする課題】
【０００３】
従って、本発明の目的は、従来技術のこれら及び他の不利点を克服する方法及び対話型システムを提供することである。
【課題を解決するための手段】
【０００４】
従って、音楽コンテンツに対応する画像アイテムを表示する方法が提供される。本方法は、音楽コンテンツの1つ以上の特徴を識別する段階、第1の遠隔ネットワークから対応する画像アイテムを識別した1つ以上の特徴に基づき捜す段階、対応する画像アイテムを第1の遠隔ネットワークから読み出す段階、及び音楽コンテンツに対応する画像アイテムを表示する段階を有する。
【０００５】
識別する段階は、音楽コンテンツから1つ以上の特徴を有する部分を捜す段階、及び前記部分から1つ以上の特徴を読み出す段階を有して良い。前記部分はＩＤ３タグを有して良い。
【０００６】
識別する段階は、第2の遠隔ネットワークから音楽コンテンツに対応する1つ以上の特徴を捜す段階、及び第2の遠隔ネットワークから1つ以上の特徴を読み出す段階を有して良い。第2の遠隔ネットワークは、複数の音楽コンテンツ及び複数の音楽コンテンツのそれぞれについて1つ以上の対応する特徴を有するデータベースを有して良い。識別する段階はまた、1つ以上の特徴を有するオーディオ指紋を得るために音楽コンテンツを分析する段階を有して良い。
【０００７】
表示する段階は、読み出しに先立ち及び読み出しに続いての何れかで、画像アイテムをサムネイルアイコンに縮小する段階を有して良い。縮小する段階は、読み出しに先立ち及び読み出しに続いての何れかで、画像アイテムの解像度を減ずる段階を更に有して良い。
【０００８】
本方法は、読み出しに続いて、画像アイテムを格納する段階を更に有して良い。
【０００９】
識別する段階は、イベントの発生時に自動的に開始されて良い。イベントは、音楽コンテンツの格納、音楽コンテンツの再生、音楽コンテンツの送信の受信、及び音楽コンテンツのダウンロードの１つであって良い。識別する段階はまた、ユーザーからの手動の指示により開始されて良い。
【００１０】
表示する段階は、イベントの発生時に自動的に開始されて良い。イベントは、音楽コンテンツの格納、音楽コンテンツの再生、音楽コンテンツの送信の受信、及び音楽コンテンツのダウンロードの１つであって良い。表示する段階はまた、ユーザーからの手動の指示により開始されて良い。
【００１１】
画像アイテムは、少なくとも音楽コンテンツに対応するＣＤジャケットであって良い。
【００１２】
音楽コンテンツは、ＣＤジャケットに対応する複数の楽曲からの楽曲であって良い。そして表示する段階は、ＣＤジャケットを、楽曲を示すよう変更する段階を更に有して良い。変更する段階は、ＣＤジャケットと共に、楽曲の楽曲番号を示す数値を表示する段階を更に有して良い。
【００１３】
また、音楽コンテンツに対応する画像アイテムを表示する装置が提供される。本装置は、遠隔ネットワークに動作可能なように接続されるモデム、音楽コンテンツの１つ以上の特徴を識別し、遠隔ネットワークから対応する画像アイテムを識別された１つ以上の特徴に基づき捜し、及び対応する画像アイテムを第１の遠隔ネットワークから読み出すプロセッサー、及び音楽コンテンツに対応する画像アイテムを表示するディスプレイを有する。
【００１４】
また、本発明の方法を実行するコンピュータープログラム、及びコンピュータープログラムの格納のためのプログラム格納装置が提供される。
【発明の効果】
【００１５】
本発明の装置及び方法のこれらの及び他の機能、特長、及び利点は、以下の説明、請求項、及び添付の図面を参照してより理解されるだろう。
【実施例】
【００１６】
本発明は、多くの及び種々の種類の装置及び音楽コンテンツに適用できるが、楽曲の環境で特に有用であることが分かっている。従って、本発明の適用を楽曲に制限することなく、本発明は、そのような環境において説明される。当業者はまた、音楽コンテンツはスピーチ、オーディオブック及び類似のものであって良いことを理解するだろう。
【００１７】
図１は、音楽コンテンツに対応する画像アイテムを表示する装置を示す。本装置は、参照番号１００を付される。当業者は、本装置は音楽コンテンツを再生及び代表的な画像アイテムを表示できる如何なる装置であって良いことを理解するだろう。このような装置１００の例は、パーソナルコンピューター、ラップトップコンピューター、及びＣＤプレイヤー、ＭＰ３プレイヤー、パーソナル・デジタル・アシスタント、及び無線受信機等の音楽コンテンツ再生装置を含むが、これらに限定されない。装置１００は、一般に音楽コンテンツを再生する１つ以上のスピーカー１０２、及びディスプレイ１０４を有する。以下に説明されるように、ディスプレイ１０４は、対応するＣＤジャケット等の音楽コンテンツを表現する画像アイテムを表示できる。ディスプレイ１０４は、そのような機能に特化しても良く、又は装置１００の他の機能を実行しても良い。
【００１８】
本装置は、本発明の方法を実行するプロセッサー１０６を更に有する。プロセッサー１０６は、そのような機能に特化しても良く、又は装置１００の他の機能を実行しても良い。プロセッサー１０６は、直接又は適切なドライバーを通じて間接的の何れかで、スピーカー１０２及びディスプレイ１０４を制御する。装置１００は、プロセッサーに動作可能なように接続される、音楽コンテンツを格納する記憶装置のような記憶装置１０８を更に有する。記憶装置１０８はまた、装置１００の他の機能を実行すると共に、本発明の方法を実行するプログラム命令を格納して良い。記憶装置１０８は、単一の装置として図１に示されるが、当業者は、複数の装置を設けて良いこと、及び異なる種類の記憶装置であって良いことを理解するだろう。例えば、記憶装置１０８は、音楽コンテンツを格納するハードドライブ、及びプログラム命令を格納する統合されたチップとして実現されて良い。
【００１９】
本装置は、プロセッサー１０６へデータ又は命令を入力する入力装置１１０を更に有して良い。入力装置１１０は、キーボード／キーパッド、マウス、スタイラスペン、トラックボール、音声認識システム、タッチスクリーン、１つ以上のスイッチ／ボタンパッド、ＭＰ３プレイヤー、ＣＤ／ＤＶＤドライブ等の他の装置から音楽コンテンツをアップロードするコネクターのような、従来知られている如何なる入力装置であって良い。装置１００はまた、プロセッサー１０６の制御下にある、インターネット等の遠隔ネットワーク１１４に動作可能なように接続されるモデムのような通信装置１１２を有する。装置１００はまた、アンテナ１１６により図示される、無線受信機を有して良い。無線受信機は、プロセッサーの制御下にあり、ＦＭ、ＡＭ、有線、及び衛星等の、既知の無線の如何なる種類を受信、逆多重化、及び／又はフォーマットするよう構成される。
【００２０】
音楽コンテンツに対応する画像アイテムを表示する方法は、図１及び２に関連して説明される。本方法は、特に明記されない限り、音楽コンテンツは、入力装置１１０、遠隔ネットワーク１１４、又は無線受信機１１６の何れかによって、装置１００で入手可能であるとする。本方法は、音楽コンテンツの１つ以上の特徴を識別する。１つ以上の特徴は、作曲者、演者、曲名、その曲を一部として有する対応するアルバム（ＣＤ）、曲の発表年、曲のジャンル、及び類似のものであって良い。
【００２１】
１つ以上の特徴が識別された後、本装置は、遠隔ネットワーク１１４から、対応する画像アイテムを識別された１つ以上の特徴に基づき捜す。具体的には、プロセッサー１１６は、モデムに遠隔ネットワークと通信するよう指示し、対応する画像アイテムを遠隔ネットワーク１１４から読み出し、そして音楽コンテンツに対応する画像アイテムをディスプレイ１０４上に表示する。遠隔ネットワーク１１４は、インターネット、より具体的には、ＣＤジャケット等の画像アイテムのデータベースがダウンロードのために格納されている、インターネット上にアドレスを有するウェブサイトであって良い。このようなインターネットウェブサイトは、www.cover-search.comである。例えば、識別された１つ以上の特徴は、音楽コンテンツの曲名及びアーティストであって良い。プロセッサー１０６は、www.cover-search.comとモデム１１２を経由して通信し、データベースの検索のために曲名及びアーティストを提供する。プロセッサーは、次に、検索結果に対応するＣＤジャケットを読み出す。検索の結果が１つ以上のＣＤジャケットの場合、より多くの特徴を提供し検索を絞り込んで良い。又は検索の結果得た全てのＣＤジャケットが読み出されて良い。そして装置１００のユーザーは、表示のために読み出されたＣＤジャケットの中から選択して良い。表示されたＣＤジャケットは、次に、対応する音楽コンテンツの再生するためのリンクとして機能する。
【００２２】
音楽コンテンツの特徴の識別は、音楽コンテンツ自体から特徴を有する部分を捜す段階、及びその部分から特徴を読み出す段階を有して良い。音楽コンテンツの部分は、ＩＤ３タグであって良い。ＩＤ３タグは、音楽コンテンツのファイルの最後に付加された１２８バイトのデータである。ＩＤ３タグは、３バイトのワード「タグ」を有し、３０バイトを曲名に、３０バイトをアーティストに、３０バイトを対応するアルバム名に、４バイトを発表年に、３０バイトをコメントに、及び１バイトをジャンルに用いる。利用されていないバイトは２進数の０で埋められる。また、ジャンルのフィールドは、８０個のジャンル（値０−７９）の所定のリストに対応する値を有する。音楽コンテンツがこのようなタグを有する場合、プロセッサー１０６は、音楽コンテンツからタグを捜す。タグがＩＤ３タグである場合、プロセッサー１０６は、音楽コンテンツのファイルの末尾１２８バイトのワード「タグ」を捜す。プロセッサー１０６は、次に、各フィールドの特徴を読み出し、そして同一のものを用い、遠隔ネットワーク１１４から対応する画像アイテムを捜す。以上に説明されたように、検索は、曲名及びアーティスト等の特徴の何れか又は組み合わせを用い、開始して良い。識別された他の特徴の何れも、検索結果が何もない又は２つ以上になるよう、検索に追加されて良い。
【００２３】
音楽コンテンツの特徴の識別はまた、遠隔ネットワーク１１４（画像アイテムを捜すために用いられた遠隔ネットワークと異なる又は同一のもの）から、音楽コンテンツに対応する１つ以上の特徴を捜す段階、及び１つ以上の特徴を遠隔ネットワーク１１４から読み出す段階を有して良い。この場合、遠隔ネットワークは、複数の音楽コンテンツ及び複数の音楽コンテンツのそれぞれについて1つ以上の対応する特徴を有するデータベースを有して良い。遠隔ネットワークは、www.musicbrainz.org等のインターネットのウェブサイトであって良い。このようなウェブサイトは、音楽コンテンツを識別するために利用できる音楽メタデータのデータベースを有する。この場合、プロセッサー１０６は、遠隔ネットワークとモデム１１２を経由して通信し、音楽コンテンツの１つ以上の特徴を決定し、何らかの結果をウェブサイトから読み出す。プロセッサーは、次に、上述の説明と同様に、同一のものを用い、遠隔ネットワーク１１４から対応する画像アイテムを捜す。
【００２４】
音楽コンテンツの特徴の識別はまた、１つ以上の特徴を有するオーディオ指紋を得るために音楽コンテンツ自体を分析する段階を有して良い。このようなオーディオ指紋は、従来、非特許文献１及び非特許文献２として既知である。これら文献の開示は、参照することにより本願明細書に組み込まれる。
【００２５】
以上の説明のように、ＣＤジャケットのような画像アイテムは、ディスプレイ１０４に表示され、音楽コンテンツを表す。このようなＣＤジャケットは、しばしば印刷のために実物大で高解像度で入手できる。このような例では、遠隔ネットワーク１１４から読み出される前に、又はプロセッサー１０６により読み出された後の何れかに、画像アイテムをサムネイルアイコンに縮小することが望ましい。更に、縮小はまた、画像アイテムをディスプレイ１０４に表示する前に、画像アイテムの解像度を減ずる段階を有して良い。縮小と同様に、解像度の低下は、遠隔ネットワーク１１４から読み出される前に、又はプロセッサー１０６により読み出された後の何れかに、行われて良い。例えば、曲が無線装置１００で再生されている時に、画像アイテムは読み出され、記憶装置１０８に保存されることなく、ディスプレイ１０４に表示されて良い。また、画像アイテムは、読み出され、読み出しの後で記憶装置１０８に保存されて良い。後者では、画像アイテムは、常に表示可能である。
【００２６】
識別プロセスは、音楽コンテンツの記憶装置１０８への格納、音楽コンテンツのスピーカー１０２での再生、音楽コンテンツのアンテナ１１６（又は他の送信手段）からの送信の受信、及び音楽コンテンツの遠隔ネットワーク１１４からのダウンロード等のイベントの発生時に自動的に開始されて良い。また、識別プロセスは、入力装置１１０を通じる等の、ユーザーからの手動の指示により開始されて良い。画像アイテムの表示はまた、音楽コンテンツの記憶装置１０８への格納、音楽コンテンツのスピ―カー１０２での再生、音楽コンテンツのアンテナ１１６（又は他の送信手段）からの送信の受信、及び音楽コンテンツの遠隔ネットワーク１１４からのダウンロード等のイベントの発生時に自動的に開始されて良い。画像アイテムの表示はまた、入力装置１１０を通じる等の、ユーザーからの手動の指示により開始されて良い。例えば、インターネット１１４から曲をダウンロードする等、音楽コンテンツをダウンロードするようコマンドがプロセッサー１０６により受信された時、ダウンロードの開始は、音楽コンテンツの１つ以上の特徴の識別、及び特徴の識別の結果として見付かった代表画像アイテムの表示の両方を開始して良い。同様に、特定の周波数に合わせるようコマンドがプロセッサー１０６により受信され、曲等の音楽コンテンツがその周波数で送信され、そしてスピーカー１０２で再生される時、音楽コンテンツの再現（再生）は、以上の説明のように、指示及び表示プロセスを開始して良い。
【００２７】
音楽コンテンツがアルバムに含まれる複数の楽曲からの楽曲である場合、楽曲を識別するよう及びその楽曲をアルバムの他の楽曲から区別する指示が画像アイテムと共に表示されて良い。アルバムの各楽曲は、対応する画像アイテムを有してはならない。アルバムと共に識別された全ての楽曲は、ＣＤジャケット等の単一の代表画像アイテムのみを有して良い。従って、本発明の方法は、楽曲を示すようＣＤジャケットを変更して良い。再び図２を参照すると、図１のディスプレイ１０４が示される。ディスプレイ１０４は、音楽コンテンツに対応する画像アイテム２００を有する。ディスプレイ１０４は、画像アイテム２０２をＣＤジャケットとして更に有し、ディスプレイ１０４の中では、画像アイテム２０２が、対応するアルバムからの楽曲を示すよう変更される。図２に画像アイテム２０２により示されるように、変更する段階は、楽曲の楽曲番号を示す数値２０４をＣＤジャケットと共に表示する段階を有して良い。例えば、音楽コンテンツがアルバムの３番目の楽曲である場合、画像アイテム２０２は、数字「３」を画像アイテム２０２の少なくとも一部に被せるよう変更されて良い。数値２０４は、画像アイテム２０２の内側の何処に置かれても良く、また画像アイテム２０２の外側に置かれても良い。当業者は、他の種類の変更が、アルバムの複数の楽曲の中から特定の楽曲を示すよう、曲名又は曲名の短縮版又は追加の画像アイテム等の画像アイテム２０２に行われて良いことを理解するだろう。
【００２８】
本発明の方法は、特に、望ましくは本方法の個々の段階に対応するモジュールを有するコンピューターソフトウェアプログラムのような、コンピューターソフトウェアプログラムによる実行に適する。このようなソフトウェアは、勿論、統合されたチップ又は周辺機器等のコンピューター可読媒体の中に組み込まれて良い。
【００２９】
本発明の好適な実施の形態と考えられるものを説明してきたが、勿論、形式または詳細における種々の改良及び変更が、本発明の精神から逸脱することなく行われて良いことが理解されるだろう。従って、本発明は、説明及び図示された形式に制限されず、以下の請求項の範囲に含まれる全ての変形を包含すると考えられる。
【図面の簡単な説明】
【００３０】
【図１】本発明の装置の実施例のブロック図である。
【図２】図１の装置のディスプレイを示す。
【図１】
2007514253.tif 000003
【図２】
2007514253.tif 000004
【国際調査報告】
2007514253.tif 000005
2007514253.tif 000006
2007514253.tif 000007